(57)【要約】【課題】肉豚用飼料の製造方法において、配合飼料に比べて安価でありながら、良質の肉豚を飼育することができ、しかも長期保存に適した肉豚用飼料を製造できるようにする。【解決手段】スーパーマーケット２等の食品販売店から排出された余剰食品のうち、肉類２６と魚類２７と花類２８と、乾燥したお菓子類２９と、乳製品以外の飲料品とを、不使用排出食品に分類し、日配（水物以外）２１と、日配（水物）２２（乳製品以外の飲料品を除く）と、フルーツ２３及び野菜２４と、デリカ２５（乾燥したお菓子類２９を除く）とを、使用排出食品に分類する。また、食品工場３から排出される野菜副産物３１やパン副産物３２等も使用排出食品に分類する。そして、肉豚用飼料製造工場５で使用排出食品を乾燥させて、パン副産物３２を原料とする肉豚用飼料と、それ以外の使用排出食品を原料とする肉豚用飼料とを製造する。【選択図】図１
2010088325.tif 000002
【特許請求の範囲】
【請求項１】
食品販売店から排出される余剰食品を含む排出食品を原料として使用した肉豚用飼料の製造方法において、
前記排出食品を肉豚用飼料の原料に適した排出食品（以下、使用排出食品という）と、肉豚用飼料の原料に適さない排出食品（以下、不使用排出食品という）とに分類する分類工程と、
前記分類工程によって分類された使用排出食品を乾燥させる乾燥工程とを備え、
前記分類工程において不使用排出食品に分類される排出食品には、肉類の排出食品と魚類の排出食品とが含まれることを特徴とする肉豚用飼料製造方法。
【請求項２】
前記分類工程において不使用排出食品に分類される排出食品には、食品販売店から排出された余剰食品のうち、花類と、乾燥したお菓子類と、乳製品以外の飲料品とが含まれることを特徴とする請求項１に記載の肉豚用飼料製造方法。
【請求項３】
前記排出食品には、製パン工場から排出されるパンの副産物が含まれ、
前記分類工程において、前記使用排出食品は、前記製パン工場から排出されるパンの副産物を中心とした第１の使用排出食品と、第１の使用排出食品以外の第２の使用排出食品とに分類され、
前記分類工程によって分類された第１の使用排出食品と第２の使用排出食品とに対して、別々に、前記乾燥工程における乾燥処理を施すようにしたことを特徴とする請求項１又は請求項２に記載の肉豚用飼料製造方法。
【請求項４】
請求項１乃至請求項３のいずれか一項に記載の肉豚用飼料製造方法により製造された肉豚用飼料。
【発明の詳細な説明】
【技術分野】
【０００１】
本発明は、スーパーマーケット等の食品販売店から排出される余剰食品を含む排出食品を原料として使用した肉豚用飼料の製造方法、及びその製造方法により製造された肉豚用飼料に関する。
【背景技術】
【０００２】
従来から、日本の食料自給率は先進国中で最も低く、飼料穀物についても、その殆どを輸入に依存している状況下にある。最近の輸入穀物の高騰という状況下においては、輸入穀物に代わる新たな飼料の原料を国内で調達する必要性が増している。一方、スーパーマーケットを中心とした食品販売店からは、店頭販売期限切れ（賞味期限の数日前から数ヶ月前）の余剰食品が大量に廃棄され、また、パン工場からは、パンの副産物（いわゆるパンのヘタ、焼きむらのあるパン、食品たんぱくのグルテンが多量に含まれたナマ生地等）が、大量に廃棄され、その多くは焼却処理されているのが現状である。
【０００３】
これらの背景と資源の有効活用の観点から、食品販売店から排出される余剰食品や、製パン工場等の食品工場から排出される食品副産物を含む排出食品を飼料化する必要性がある。
【０００４】
しかしながら、以前から養豚に使用されていた残飯飼料は、油成分の多い肉類や魚類を含む全ての種類の排出食品をそのまま砕いて飼料にしたものであるため、配合飼料に比べて、飼育した豚に「脂肪の融点が低い」、「肉のしまりが悪い」という問題が生じ、養豚農家から敬遠されていた。
【０００５】
そこで、パンの副産物等の原料と水や牛乳を混合してスープ状にした液状飼料を肉豚に与えるリキッドフィーディング方式を採用する養豚業者が存在する。しかしながら、この液状飼料には、腐敗しやすく、長期保存に適さないという欠点がある。
【０００６】
これに対して、食品販売店から排出される余剰食品を含む排出食品を乾燥させて、腐敗を防ぎ、長期保存を可能にする排出食品の処理方法が知られている（例えば、特許文献１参照）。
【０００７】
しかしながら、上記特許文献１に示される排出食品の処理方法で得られた飼料は、長期保存には適しているが、油成分の多い肉類や魚類を含む全ての種類の排出食品を原料にしているために、配合飼料に比べて、飼育した豚に「脂肪の融点が低い」、「肉のしまりが悪い」という問題が生じる。
【特許文献１】特許第３５８４９１５号公報
【発明の開示】
【発明が解決しようとする課題】
【０００８】
本発明は、上記の問題を解決するためになされたものであり、配合飼料に比べて安価でありながら、飼育した豚に「脂肪の融点が低い」、「肉のしまりが悪い」という問題が生じにくく、しかも液状飼料と比べて長期保存に適した肉豚用飼料を製造することが可能な肉豚用飼料の製造方法及び肉豚用飼料を提供することを目的とする。
【課題を解決するための手段】
【０００９】
上記目的を達成するために請求項１の発明は、食品販売店から排出される余剰食品を含む排出食品を原料として使用した肉豚用飼料の製造方法において、前記排出食品を肉豚用飼料の原料に適した排出食品（以下、使用排出食品という）と、肉豚用飼料の原料に適さない排出食品（以下、不使用排出食品という）とに分類する分類工程と、前記分類工程によって分類された使用排出食品を乾燥させる乾燥工程とを備え、前記分類工程において不使用排出食品に分類される排出食品には、肉類の排出食品と魚類の排出食品とが含まれるものである。
【００１０】
請求項２の発明は、請求項１に記載の肉豚用飼料製造方法において、前記分類工程において不使用排出食品に分類される排出食品には、食品販売店から排出された余剰食品のうち、花類と、乾燥したお菓子類と、乳製品以外の飲料品とが含まれるものである。
【００１１】
請求項３の発明は、請求項１又は請求項２に記載の肉豚用飼料製造方法において、前記排出食品には、製パン工場から排出されるパンの副産物が含まれ、前記分類工程において、前記使用排出食品は、前記製パン工場から排出されるパンの副産物を中心とした第１の使用排出食品と、第１の使用排出食品以外の第２の使用排出食品とに分類され、前記分類工程によって分類された第１の使用排出食品と第２の使用排出食品とに対して、別々に、前記乾燥工程における乾燥処理を施すようにしたものである。
【００１２】
請求項４の発明は、請求項１乃至請求項３のいずれか一項に記載の肉豚用飼料製造方法により製造された肉豚用飼料である。
【発明の効果】
【００１３】
請求項１の発明により製造された肉豚用飼料は、食品販売店から排出される余剰食品を含む排出食品を原料として使用しているので、配合飼料に比べて安価である。しかも、請求項１の発明によれば、油成分の多い肉類や魚類の排出食品を不使用排出食品にしたことにより、飼育した豚に「脂肪の融点が低い」、「肉のしまりが悪い」という問題が生じにくい。さらに、使用排出食品を乾燥させるようにしたことにより、液状飼料と比べて長期保存に適した肉豚用飼料を得ることができる。
【００１４】
請求項２の発明によれば、食品販売店から排出される余剰食品のうち、本来飼料の原料とするべきでない花類と、塩分や糖分を多量に含む乾燥したお菓子類と、糖分を多量に含む乳製品以外の飲料品（例えばジュースや炭酸飲料）を、確実に肉豚用飼料の原料から除外することができる。ここで、塩分を多量に含む乾燥したお菓子類は、脳卒中の原因になる。また、糖分を多量に含む乾燥したお菓子類は、乾燥工程において焦げてしまうので、肉豚用飼料の原料から除外することが望ましい。さらにまた、乳製品以外の飲料品も、糖分を多量に含むことが多く、乾燥工程において焦げを作る原因になる可能性が高いので、肉豚用飼料の原料から除外することが望ましい。
【００１５】
請求項３の発明によれば、主に製パン工場から排出されるパンの副産物を中心とした第１の使用排出食品から製造された第１の肉豚用飼料と、第１の使用排出食品以外の第２の使用排出食品から製造された第２の肉豚用飼料とを別々に製造することができる。第１の肉豚用飼料は、主に製パン工場から排出されるパンの副産物を中心とした第１の使用排出食品を原料として使用しているため、グルテン等のたんぱく質を多量に含んでおり、生後５ヶ月から６ヶ月の肉豚の飼料として適している。また、第２の肉豚用飼料は、食品販売店から排出される各種の余剰食品を原料として使用しているため、各種の栄養素をバランスよく含んでおり、飼料の利用効率（摂取量に対する肉豚の体重増加量の割合）も高く、生後３ヶ月から４ヶ月の肉豚の飼料として適している。
【００１６】
請求項４の発明によれば、上記に記載の発明の効果と同様な効果を得ることができる。
【発明を実施するための最良の形態】
【００１７】
以下、本発明の一実施形態に係る肉豚用飼料の製造方法、及びその製造方法により製造された肉豚用飼料について、図面を参照して説明する。図１は、本実施形態による肉豚用飼料製造方法を適用した肉豚用飼料製造システムにおける、使用排出食品と不使用排出食品との分類方法を示す。ここで、使用排出食品とは、肉豚用飼料の原料に適し、肉豚用飼料の製造に使用される排出食品であり、不使用排出食品とは、肉豚用飼料の原料に適さず、肉豚用飼料の製造に使用されない排出食品である。
【００１８】
肉豚用飼料製造システム１は、スーパーマーケット２（請求項における食品販売店に相当）から排出される余剰食品や、野菜カット工場から排出される野菜のヘタ等の野菜副産物３１や、製パン工場から排出されるパン副産物（パンのヘタ、焼きむらのあるパン、食品たんぱくのグルテンが多量に含まれたナマ生地等）３２を含む排出食品を原料として使用した肉豚用飼料の製造システムである。
【００１９】
スーパーマーケット２から排出される余剰食品には、図に示されるように、日配物コーナー１１に置かれる日配（水物以外）２１及び日配（水物）２２と、農産（青果）コーナー１２に置かれるフルーツ２３及び野菜２４と、デリカコーナー１３に置かれるデリカ２５と、肉魚コーナー１４に置かれる肉類２６及び魚類２７とが含まれている。ここで、デリカ２５は、スーパーマーケット２内で調理された食品のことである。また、「日配物」は、外部メーカーで製造された食品をそのまま店頭に並べたものを言い、具体的には、スーパーマーケット２に置かれる食品のうち、農産（青果）コーナー１２に置かれる食品とデリカコーナー１３に置かれる食品と肉魚コーナー１４に置かれる食品とを除く食品を意味する。日配（水物）２２は、「日配物」のうち、水分を多量に含む食品を指し、日配（水物以外）２１は、「日配物」のうち、日配（水物）２２以外の食品を指す。
【００２０】
本肉豚用飼料製造システム１では、上記のスーパーマーケット２から排出される余剰食品のうち、肉魚コーナー１４に置かれる肉類２６及び魚類２７を肉豚用飼料の原料として使用しないで、廃棄する。言い換えると、スーパーマーケット２から排出される余剰食品のうち、肉魚コーナー１４に置かれる肉類２６及び魚類２７を肉豚用飼料製造工場５に搬送しない。
【００２１】
また、上記の農産（青果）コーナー１２から排出される商品のうちの花類２８と、デリカコーナー１３から排出されるデリカ２５のうちの乾燥したお菓子類（例えばビスケット、ポテトチップス、飴、キャラメル等）２９と、日配物コーナー１１に置かれる日配（水物）２２のうちの乳製品以外の飲料品（例えばジュースや炭酸飲料）とを肉豚用飼料の原料として使用しないで、廃棄する。言い換えると、スーパーマーケット２から排出される余剰食品のうち、農産（青果）コーナー１２から排出される花類２８と、デリカコーナー１３から排出される乾燥したお菓子類（例えばビスケット、ポテトチップス、飴、キャラメル等）２９と、日配物コーナー１１から排出される乳製品以外の飲料品とを肉豚用飼料製造工場５に搬送しない。
【００２２】
ここで、上記のスーパーマーケット２から排出される余剰食品のうち、肉類２６及び魚類２７を肉豚用飼料の原料として使用しない理由は、油成分の多い肉類や魚類の排出食品を飼料の原料として使用すると、この飼料を与えて飼育した肉豚に「脂肪の融点が低い」、「肉のしまりが悪い」という問題が生じ易いからである。また、スーパーマーケット２から排出される余剰食品のうち、花類２８を肉豚用飼料の原料として使用しない理由は、花類２８は、農産（青果）コーナー１２に置かれているが、本来食品ではなく、飼料の原料とするべきではないからである。また、スーパーマーケット２から排出される余剰食品のうち、乾燥したお菓子類２９を肉豚用飼料の原料として使用しない理由は、乾燥したお菓子類２９は、塩分又は糖分を多量に含むことが多く、塩分を多量に含む乾燥したお菓子類は、脳卒中の原因になり、また、糖分を多量に含む乾燥したお菓子類は、乾燥工程において焦げてしまうので、肉豚用飼料の原料から除外することが望ましいからである。さらにまた、スーパーマーケット２から排出される余剰食品のうち、乳製品以外の飲料品を肉豚用飼料の原料として使用しない理由は、乳製品以外の飲料品は、糖分を多量に含むことが多く、乾燥工程において焦げを作る原因になる可能性が高いので、肉豚用飼料の原料から除外することが望ましいからである。
【００２３】
上記のように、本肉豚用飼料製造システム１では、スーパーマーケット２における実際の食品の配置に即して、スーパーマーケット２から排出される余剰食品のうち、肉豚用飼料の原料として適さない余剰食品を分類して除去するようにしたので、スーパーマーケット２より排出される余剰食品から、肉豚用飼料の原料として適さない余剰食品を容易に取り除くことができる。
【００２４】
図２は、本肉豚用飼料製造システム１において飼料の原料として使用される食品の品目を、種類毎に分類して示す。図２中の青果欄６１には、図１中の農産（青果）コーナー１２に置かれる食品の具体例が示されている。図２中の日配（水物以外）欄６２には、図１中の日配（水物以外）２１に分類される食品の具体例が示されている。これらと同様に、図２中の日配（水物）欄６３とデリカ欄６４とには、図１中の日配（水物）２２に分類される食品とデリカ２５に分類される食品との具体例が示されている。また、図２中の食品工場副産物欄６５には、図１中の野菜副産物３１やパン副産物３２の具体例に加えて、麺工場から排出されるうどん麺（量目不足のうどん麺等）が含まれている。なお、図２において、日配（水物以外）欄６２とデリカ欄６４の両方に、「ケーキ」と「ちくわ」が記載されているが、日配（水物以外）欄６２に記載されている「ケーキ」と「ちくわ」は、外部メーカーで製造された「ケーキ」と「ちくわ」をそのまま店頭に並べたものを指し、デリカ欄６４に記載されている「ケーキ」と「ちくわ」は、スーパーマーケット２内で調理された「ケーキ」と「ちくわ」を指す。また、デリカ欄６４に記載されている「そば」と「うどん」は、いずれもスーパーマーケット２内で何らかの調理を施された「そば」と「うどん」を指し、日配（水物以外）欄６２に記載されている「そば麺」と「うどん麺」は、製麺メーカーで製造された「そば麺」と「うどん麺」をそのまま店頭に並べたものを指す。
【００２５】
図３は、上記図１に示される余剰食品の分類方法によって取り除かれた余剰食品を除くスーパーマーケット２からの余剰食品と、野菜カット工場や製パン工場から排出された野菜副産物３１やパン副産物３２とを用いて、肉豚用飼料が製造されて、この肉豚用飼料を与えて飼育された肉豚が食肉店の店頭に並ぶまでの過程を示す。図に示されるように、スーパーマーケット２で発生した余剰食品は（Ｓ１）、食品の種類毎に、食品の種類等の情報を示すバーコード４２が添付されたケース４１に入れられて回収され、トラック（冷蔵車）で肉豚用飼料製造工場５に搬送される（Ｓ２及びＳ７）。また、野菜カット工場や製パン工場で発生した野菜副産物３１やパン副産物３２もケース４３に入れられて回収され、トラック（冷蔵車）で肉豚用飼料製造工場５に搬送される（Ｓ３乃至Ｓ７）。スーパーマーケット２から搬入された余剰食品が、肉豚用飼料製造工場５に搬送されると、肉豚用飼料製造工場５の作業者は、各余剰食品のケース４１に添付されたバーコード４２が有する食品の種類等の情報を図１に示されるバーコードリーダー５１で読み取ると共に、各ケース４１毎の重量をディジタルスケール５２で計量する。バーコードリーダー５１で読み取られた各ケース４１内の食品の種類等の情報と、ディジタルスケール５２で計量された各ケース４１の重量とは、パーソナル・コンピュータ５３（以下、パソコンと略す）に入力されて、パソコン５３内のハード・ディスクに保管（記録）される。
【００２６】
肉豚用飼料製造工場５の作業者は、スーパーマーケット２から搬入された余剰食品の中に、不要なもの（肉類２６、魚類２７、花類２８、乾燥したお菓子類２９及び乳製品以外の飲料品等）があれば、それらを取り除いて廃棄し（Ｓ１１）、必要な余剰食品のみをＡラインのホッパーに投入する（Ｓ１０）。また、作業者は、野菜カット工場から搬入された野菜副産物３１を、トラックスケールで計量した後（Ｓ１７）、Ａラインのホッパーに投入する（Ｓ１０）。これに対して、製パン工場で発生したパン副産物３２については、作業者は、これをトラックスケールで計量した後（Ｓ１７）、Ｂラインのホッパーに投入する（Ｓ１８）。
【００２７】
Ａラインのホッパーに投入された使用排出食品の包装は、作業者により手動で、又は破袋選別機により自動的に、使用排出食品から分離される（Ｓ１２）。この分離された包装は、廃棄される（Ｓ１４）。ここで、使用排出食品とは、肉豚用飼料の原料に適した排出食品であり、Ａラインに投入される使用排出食品は、具体的には、スーパーマーケット２から搬入された余剰食品から、乳製品以外の飲料品、肉類２６、魚類２７、花類２８、及び乾燥したお菓子類２９を取り除いた余剰食品と、野菜カット工場から搬入された野菜副産物３１とである。また、Ｂラインに投入される使用排出食品は、具体的には、製パン工場で発生したパン副産物３２である。
【００２８】
次に、作業者は、上記のＡラインのホッパーに投入された使用排出食品を乾燥機で乾燥させた後（Ｓ１３）、乾燥した乾燥排出食品を振るい機にかけて（Ｓ１５）、この振るい機の振動と風力で発泡スチロール等の不要物を取り除き、不要物を取り除いた乾燥排出食品を保管用のサイロへ投入する（Ｓ１６）。また、作業者は、Ｂラインのホッパーに投入された使用排出食品についても、乾燥機で乾燥させた後（Ｓ１９）、乾燥した乾燥排出食品を振るい機にかけて（Ｓ２０）、この振るい機の振動と風力で発泡スチロール等の不要物を取り除き、不要物を取り除いた乾燥排出食品を保管用のサイロへ投入する（Ｓ２１）。
【００２９】
Ａラインの保管用サイロに投入された乾燥排出食品（以下、肉豚用飼料Ａという：請求項３の（発明の効果）に記載の第２の肉豚用飼料に相当）と、Ｂラインの保管用サイロに投入された乾燥排出食品（以下、肉豚用飼料Ｂという：請求項３の（発明の効果）に記載の第１の肉豚用飼料に相当）とは、別々に袋詰めされた後に、飼料メーカーを介して養豚農家に販売されるか（Ｓ２２及びＳ２３）、又は養豚農家に直接販売される（Ｓ２４）。
【００３０】
養豚農家は、上記の肉豚用飼料Ａと肉豚用飼料Ｂとを購入し、これらの肉豚用飼料Ａ，Ｂをそのまま、又はこれらの肉豚用飼料Ａ，Ｂを一般の配合飼料と混同して肉豚に与え、肉豚の飼育を行う（Ｓ２５）。なお、上記の肉豚用飼料Ｂは、主に製パン工場から排出されるパンの副産物を中心とした、Ｂラインの使用排出食品を原料として使用しているため、グルテン等のたんぱく質を多量に含んでおり、生後５ヶ月から６ヶ月の肉豚の飼料に適している。また、肉豚用飼料Ａは、スーパーマーケット２から排出される各種の余剰食品や、野菜カット工場から排出される野菜副産物３１を原料として使用しているため、各種の栄養素をバランスよく含んでおり、飼料の利用効率（飼料摂取量に対する肉豚の体重増加量の割合）も高く、生後５ヶ月から６ヶ月の肉豚の飼料に適している。
【００３１】
生後６ヶ月を過ぎた肉豚は、養豚農家から食肉センターに送られて、食肉センターで精肉に加工された後（Ｓ２６）、食肉販売企業で商品化されて（Ｓ２７）、食肉店の店頭で販売される（Ｓ２８）。
【００３２】
次に、上記の肉豚用飼料Ａを一般の配合飼料と混合させて肉豚に与えた場合における、肉豚の飼料に対する嗜好性と飼育状況の調査結果を、一般の配合飼料をそのまま肉豚に与えた場合と比較して説明する。この調査は、平成２０年６月２３日から７月４日の間（１１日間）に、兵庫県立農林水産技術総合センター家畜部試験豚舎において、４頭のＷＬＤ種（三元雑種肉用素豚）の雌豚を対象にして行った。２つの豚房（区）を使用し、各豚房（試験区と対照区）には、肉豚（雌豚）を２頭ずつ入れた。各豚房の面積は、２．６メートル×１．２メートル＝３．１２平方メートルであった。また、肉豚用飼料Ａの原料として使用した排出食品の比率は、デリカ２５が２０％、青果（フルーツ２３、野菜２４及び野菜副産物３１）が５０％、日配（日配（水物以外）２１及び日配（水物）２２）が３０％であった。試験区の肉豚には、肉豚用飼料Ａ２０％と一般の配合飼料８０％とを攪拌した飼料を自由に摂取させた。また、対照区の肉豚には、一般の配合飼料１００％を自由に摂取させた。
【００３３】
図４は、兵庫県立農林水産技術総合センターがまとめた、上記の調査（試験）の結果である。また、兵庫県立農林水産技術総合センターがまとめた考察は、以下の通りである。
１．子豚（肉豚）の発育は、試験区がわずかに優れた。
２．飼料要求率は、試験区が優れた。
３．試験区において、エコフィード（上記の肉豚用飼料Ａと配合飼料とを攪拌した飼料）の選び食い傾向が見られ、エコフィードの嗜好性は良いと考えられる。
（飼料は常に食べられる状態にしたが、朝見に行くと餌箱の中にエコフィードは見られず、配合飼料のみが目立った。）
【００３４】
上記のように、肉豚用飼料Ａと配合飼料とを攪拌した飼料（以下、混合飼料Ｃという）は、一般の配合飼料と比べて、肉豚からの飼料要求率（飼料摂取量／体重増加量）の値が小さく、一定量の飼料を摂取した場合の肉豚の体重増加率が高い。また、混合飼料Ｃは、一般の配合飼料と比べて肉豚に好まれ、混合飼料Ｃを与えた肉豚は、配合飼料のみを与えた肉豚と比べて、発育も良かった。
【００３５】
上記のように、本実施形態による肉豚用飼料製造システム１に採用されている肉豚用飼料の製造方法により製造された肉豚用飼料は、スーパーマーケット２等の食品販売店から排出される余剰食品を含む排出食品を原料として使用しているので、配合飼料に比べて安価である。しかも、この肉豚用飼料の製造方法によれば、油成分の多い肉類２６や魚類２７の排出食品を不使用排出食品にしたことにより、飼育した豚に「脂肪の融点が低い」、「肉のしまりが悪い」という問題が生じにくい。さらに、使用排出食品を乾燥させるようにしたことにより、液状飼料と比べて長期保存に適した肉豚用飼料Ａ，Ｂを得ることができる。また、乾燥した乾燥排出食品を振るい機にかけて、この振るい機の振動と風力で不要物を取り除くようにしたことにより、乾燥排出食品から発泡スチロール等の不要物を自動的に取り除くことができる。
【００３６】
また、上記の肉豚用飼料の製造方法によれば、スーパーマーケット２等から排出される余剰食品のうち、本来飼料の原料とするべきでない花類２８と、塩分や糖分を多量に含む乾燥したお菓子類２９と、糖分を多量に含む乳製品以外の飲料品（例えばジュースや炭酸飲料）を、確実に肉豚用飼料の原料から除外することができる。ここで、塩分を多量に含む乾燥したお菓子類は、脳卒中の原因になる。また、糖分を多量に含む乾燥したお菓子類は、乾燥工程において焦げてしまうので、肉豚用飼料の原料から除外することが望ましい。さらにまた、乳製品以外の飲料品も、糖分を多量に含むことが多く、乾燥工程において焦げを作る原因になる可能性が高いので、肉豚用飼料の原料から除外することが望ましい。
【００３７】
また、上記の肉豚用飼料の製造方法によれば、主に製パン工場から排出されるパン副産物３２を中心とした第１の使用排出食品から製造された肉豚用飼料Ｂと、第１の使用排出食品以外の第２の使用排出食品から製造された肉豚用飼料Ａとを別々に製造することができる。肉豚用飼料Ｂは、主に製パン工場から排出されるパンの副産物を中心とした第１の使用排出食品を原料として使用しているため、グルテン等のたんぱく質を多量に含んでおり、生後５ヶ月から６ヶ月の肉豚の飼料として適している。また、肉豚用飼料Ａは、スーパーマーケット２等の食品販売店から排出される各種の余剰食品を原料として使用しているため、各種の栄養素をバランスよく含んでおり、飼料の利用効率（摂取量に対する肉豚の体重増加量の割合）も高く、生後３ヶ月から４ヶ月の肉豚の飼料として適している。
【００３８】
なお、本発明は、上記実施形態の構成に限られず、発明の趣旨を変更しない範囲で種々の変形が可能である。例えば、上記実施形態では、肉豚用飼料の原料となる排出食品の例として、スーパーマーケット２から排出される余剰食品や、食品工場３から排出される野菜副産物３１及びパン副産物３２が挙げられているが、肉豚用飼料の原料となる排出食品は、これらに限られず、例えば、デパートや食堂から排出される余剰食品であってもよい。また、上記実施形態では、乾燥した乾燥排出食品を振るい機にかけたが、必ずしも振るい機にかける必要はない。
【図面の簡単な説明】
【００３９】
【図１】本発明の一実施形態に係る肉豚用飼料製造方法を適用した肉豚用飼料製造システムにおける排出食品の分類方法を示す図。
【図２】同肉豚用飼料製造システムにおいて飼料の原料として使用される食品の品目の分類図。
【図３】同肉豚用飼料製造システムにおける肉豚用飼料製造方法と、製造された肉豚用飼料を与えて飼育された肉豚が食肉店の店頭に並ぶまでの過程を示すフローチャート。
【図４】同肉豚用飼料製造システムにおいて製造した飼料と配合飼料とを混合した飼料を肉豚に与えた場合と、一般の配合飼料のみを肉豚に与えた場合における、肉豚の飼料に対する嗜好性と飼育状況を示す図。
【符号の説明】
【００４０】
２  スーパーマーケット
２６  肉類
２７  魚類
２８  花類
２９  乾燥したお菓子類
３２  パン副産物
【図２】
2010088325.tif 000003
【図３】
2010088325.tif 000004
【図４】
2010088325.tif 000005
【図１】
2010088325.tif 000006